(57)【要約】【課題】  建物のパラペットに笠木が被装される場合に笠木の外観の意匠性を悪化することなく笠木の板厚を薄くして笠木の強度を高めることができる笠木を提供する。【解決手段】  建物におけるパラペット12の天端部に被装され天端部の長手方向に延びている天板14と天板14の短手方向の両端部から下方に延びている正面壁16及び背面壁18とを備えている笠木10において、天板14、正面壁16及び背面壁18の一又は複数の裏面に笠木10を補強する補強部材20が設けられてなる。【選択図】        図１
2005290822.tif 000002
【特許請求の範囲】
【請求項１】
建物におけるパラペットの天端部に被装され前記天端部の長手方向に延びている天板と該天板の短手方向の両端部から下方に延びている正面壁及び背面壁とを備えている笠木において、
前記天板、前記正面壁及び前記背面壁の一又は複数の裏面に笠木を補強する補強部材が設けられていることを特徴とする笠木。
【請求項２】
前記補強部材は、笠木の長手方向に延びていると共に側面視で下部を開口する略コ字状に形成されていることを特徴とする請求項１記載の笠木。
【発明の詳細な説明】
【技術分野】
【０００１】
本発明は、建物におけるパラペットの天端部に被装され天端部の長手方向に延びている天板と天板の短手方向の両端部から下方に延びている正面壁及び背面壁とを備える笠木に関する。
【背景技術】
【０００２】
従来、建物のパラペットの天端部には、パラペットの割れによる漏水などを防止するために笠木が被装されている。笠木は、一般にアルミ材を押出成形した薄板状の断面コ字型であって、パラペットの天端部に所定間隔毎に取り付けられた複数のブラケットに対して上から嵌合して取り付けられる。本場合、笠木とブラケットとの間にリブ部材などを立設して、リブ部材によって笠木を担持して、パラペット天端部と笠木との間に所定の空間を設けて、笠木とパラペットとの膨張率の差による笠木の変形等を防止するようにしている。
【０００３】
しかし、笠木の裏面は、リブ部材によって散点的に支持されているが、支持されていない部分が笠木の自重によって変形することがある、また、強風、豪雨、豪雪やその他の外力が笠木に作用することによって笠木が変形することがある。本笠木の変形は、笠木の外観を損ねると共に、笠木が変形した部分に雨水等が溜まると布団をベランダ等に干す場合に水を拭き取らなければならことがある、また、更に変形の度合いが大きい場合には笠木の表面に穴が開くことによって雨水等が内部に浸入し、表面処理されていない笠木の内部に腐食が発生することがある。これに対して、笠木の強度を高めるために笠木の板厚を厚くすることも考えられるが、笠木を製作する材料費等のコストが嵩むと共に笠木を製作する作業性が悪化するという問題点が発生する。
【０００４】
そこで、本出願人は、建物におけるパラペットの天端部に被装され前記天端部の長手方向に延びている天板と該天板の短手方向の両端部から下方に延びている正面壁及び背面壁とを備えている笠木において、天板部の中央部に、長手方向に延びる段差部を設けて強度を高めたことを特徴とする笠木を出願している（特願２００３−３７１０９７）。
【発明の開示】
【発明が解決しようとする課題】
【０００５】
しかしながら、上述の従来技術では、建物におけるパラペットの天端部に被装され天端部の長手方向に延びている天板と天板の短手方向の両端部から下方に延びている正面壁及び背面壁とを備える笠木において、天板の中央部に、長手方向に延びる段差部を設けて強度を高めたことを特徴とするものであるため、笠木の外観に段部が形成され笠木の意匠性が良好でないという問題点がある。
【０００６】
本発明は、このような状況を鑑みてなされたもので、建物のパラペットに笠木が被装される場合に笠木の外観の意匠性を悪化することなく笠木の板厚を薄くして笠木の強度を高めることができる笠木を提供することを目的とする。
【課題を解決するための手段】
【０００７】
前述の課題を解決するため、本発明に係る笠木は、次のような手段を採用する。
【０００８】
即ち、請求項１記載の発明の笠木は、建物におけるパラペットの天端部に被装され前記天端部の長手方向に延びている天板と該天板の短手方向の両端部から下方に延びている正面壁及び背面壁とを備える笠木において、前記天板、前記正面壁及び前記背面壁の一又は複数の裏面に笠木を補強する補強部材が設けられていることを特徴とする。
【０００９】
また、請求項２記載の発明の笠木は、請求項１記載の発明において、前記補強部材は、笠木の長手方向に延びていると共に側面視で下部を開口する略コ字状に形成されていることを特徴とする。
【発明の効果】
【００１０】
請求項１記載の発明の笠木よれば、建物におけるパラペットの天端部に被装され天端部の長手方向に延びている天板と天板の短手方向の両端部から下方に延びている正面壁及び背面壁とを備える笠木において、天板、正面壁及び背面壁の一又は複数の裏面に笠木を補強する補強部材が設けられているため、建物のパラペットに笠木が被装される場合に笠木の外観の意匠性を悪化することなく笠木の板厚を薄くして笠木の強度を高めることができる。
【００１１】
また、請求項２記載の発明の笠木によれば、補強部材は、笠木の長手方向に延びていると共に側面視で下部を開口する略コ字状に形成されている部材であるため、笠木の断面係数を高めて笠木の強度を高めることができる。
【発明を実施するための最良の形態】
【００１２】
以下、本発明に係る笠木の実施形態を図面に基づいて説明する。図１及び図２は、本発明に係る笠木の第１の実施形態を説明する図である。
【００１３】
図１は、本実施形態の笠木10がパラレット12に被装されている状態を示す側面図である。本実施形態の笠木10は、図面上の前後方向（左右方向）に長尺に形成されていると共に図面上の正面視（側面視）で下部を開口する略コ字状に形成されている。本実施形態の笠木10は、天板14、正面壁16及び背面壁18を備えている。また、本実施形態の笠木10における天板14の裏面には、左右方向に長尺に形成されていると共に側面視で下部を開口する略コ字状に形成されている補強部材20が設けられている。補強部材20は、例えば、笠木10における天板14の裏面に溶接等で接合される。笠木10は、正面壁16と背面壁18との内側間隔がパラペット12の前後方向（図面上の左右方向で右方向が前側（正面）、以下同様）の幅に対して幅大に形成されている。笠木10における天板14の後端部には、所定の幅で上方に突出している突出部22が形成されている。笠木10の突出部22は、笠木10における天板14が後端部で上方に突出して先端部で後方に延びて後端で下方に延びて背面壁18となるように形成されている。笠木10の正面壁16の下端部24及び背面壁18の下端部26は、笠木10の内側に延びている。笠木10は、後端部が前端部に対して上方となるように天板14が傾斜するようにパラペット12に被装されている。尚、笠木10及び補強部材20は、屈曲形成することができる。笠木の板厚は、例えば、０．６〜１．０ｍｍである。笠木10の正面壁16の下端部24及び背面壁18の下端部26は、笠木10の内側に延びて先端部で内側空間を有するように円弧状に屈曲して笠木10の内面に沿って上方に延びている。
【００１４】
笠木10は、ブラケット28を介してパラペット12に被装されている。ブラケット28は、図面上の正面視で下部を開口する略コ字状に形成されている。ブラケット28は、笠木10の正面壁16と背面壁18との間隔がパラペット12の前後方向（図面上の左右方向で右方向が前側（正面）、以下同様）の幅に対して幅大であると共に笠木10の正面壁16と背面壁18との内側間隔に対して幅小となるように形成されている。ブラケット28は、前後方向に長尺となるように形成されている。ブラケット28のパラペット12の天端部に当接する部位は、連続している凹凸状に形成されている。ブラケット28の前後部には、笠木10を支持するための支持部30，32が形成されている。支持部30，32には、支持部30，32のブラケット28の端面から所定距離で一辺をブラケット28の底面とすると共にブラケット28の底面から所定距離である矩形状の矩形孔34，36が形成されている。支持部30，32の矩形孔34，36には、ブラケット28の長手方向及び短手方向が略同寸である底面を有するプレート38が挿入されている。プレート38は、ブラケット28をパラペット12に固定するための補強部材である。ブラケット28及びプレート38には、ブラケット28をパラペット12に固定するアンカーボルト40が挿通する挿通孔42，44が穿設されている。また、プレート38には、ブラケット18のパラペット12に対する高さを調節する調節ボルト46が挿通する挿通孔48，49が穿設されている。プレート38には、調節ボルト46と螺合する貫通している雌螺子46a，46bが刻設されている。パラペット12には、アンカーボルト40と螺合するアンカープラグ48が埋設されている。支持部30，32の先端部には、笠木10の裏面と当接するパッキン50，52が設けられている。ブラケット28は、第１のブラケット28A、及び第２のブラケット28Bが係合して組み立てられている。ブラケット28は、ブラケット天板54、ブラケット正面壁56及びブラケット背面壁58を備えている。
【００１５】
ブラケット28におけるブラケット正面壁56のブラケット下端部60は、笠木10の正面壁16の下端部24の笠木10の内部に延びている円弧状に屈曲している内側と当接している。ブラケット28におけるブラケット背面壁58のブラケット下端部62は、笠木10の背面壁16の下端部26の笠木10の内部に延びている円弧状に屈曲している内側と当接している。笠木10は、笠木10の天板14とブラケット28のパッキン50，52と当接すると共に、笠木10の正面壁16の下端部24とブラケット28のブラケット正面壁56のブラケット下端部58、及び笠木10の背面壁18の下端部26とブラケット28のブラケット背面壁58のブラケット下端部62と当接することによって、ブラケット28を介してパラペット12に被装されている。
【００１６】
笠木10の裏面に設けられている補強部材20は、調節ボルト46によってブラケット28のパラペット12に対する高さが調節された際に、ブラケット28に上方に位置するプレート38が補強部材20に当接しないように形成されている。
【００１７】
図２は、第１の実施形態の笠木10を示す斜視図である。図２（ａ）は、笠木10を上方から視た図である。図２（ｂ）は、笠木10を下方から視た図である。笠木10においては、補強部材20が笠木10の天板14における中央部に設けられている。
【００１８】
以上、本実施形態によれば、建物におけるパラペット12の天端部に被装され天端部の長手方向に延びている天板14と天板14の短手方向の両端部から下方に延びている正面壁16及び背面壁18とを備える笠木10において、天板14、正面壁16及び背面壁18の一又は複数の裏面に笠木10を補強する補強部材20が設けられているため、建物のパラペット12に笠木10が被装される場合に笠木10の外観の意匠性を悪化することなく笠木10の板厚を薄くして笠木10の強度を高めることができる。
【００１９】
また、本実施形態によれば、補強部材20は、笠木10の図面上の前後方向（長手方向）に延びていると共に図面上の正面視（側面視）で下部を開口する略コ字状に形成されているあるため、笠木10の断面係数を高めて笠木10の強度を高めることができる。
【００２０】
次に、本発明に係る笠木の第２の実施形態について説明する。図３及び図４は、本発明に係る笠木の第２の実施形態を説明する図である。尚、本実施形態において、第１の実施形態に示す構成と同一の構成については、同一符号を付すことでその説明を省略する。
【００２１】
図３は、第２の実施形態の笠木70を第１の実施形態のブラケット28を介してパラペット12に被装した状態を示す平面図である。
【００２２】
図４は、第２の実施形態の笠木70を示す斜視図である。第２の実施形態の笠木70は、第１の実施形態の笠木10に第１の実施形態の笠木10の裏面に設けられている補強部材20の前後方向の幅を若干狭くした補強部材20aを複数箇所（図示する場合においては、前後部及び中央部の３箇所）に設けたものである。
【００２３】
以上、本発明によれば、補強部材20は、笠木70の図面上の前後方向（長手方向）に延びていると共に図面上の正面視（側面視）で下部を開口する略コ字状に形成されているため、笠木10に対して更に笠木70の断面係数を高めて笠木70の強度を高めることができる。
【００２４】
次に、本発明に係る笠木の第３の実施形態について説明する。図５及び図６は、本発明に係る笠木の第３の実施形態を説明する図である。尚、本実施形態において、第１の実施形態に示す構成と同一の構成については、同一符号を付すことでその説明を省略する。
【００２５】
図５は、第３の実施形態の笠木72を第１の実施形態のブラケット28を介してパラペット12に被装した状態を示す平面図である。
【００２６】
図６は、第３の実施形態の笠木72を示す斜視図である。図６（ａ）は、笠木72を上方から視た図である。図６（ｂ）は、笠木72を下方から視た図である。第３の実施形態の笠木72は、第１の実施形態の笠木10に突出部22を設けていない天板14aを有する笠木である。
【００２７】
次に、本発明に係る笠木の第４の実施形態について説明する。図７及び図８は、本発明に係る笠木の第４の実施形態を説明する図である。尚、本実施形態において、第１の実施形態に示す構成と同一の構成については、同一符号を付すことでその説明を省略する。
【００２８】
図７は、第４の実施形態の笠木74を第１の実施形態のブラケット28を介してパラペット12に被装した状態を示す平面図である。
【００２９】
図８は、第３の実施形態の笠木74を示す斜視図である。図８（ａ）は、笠木74を上方から視た図である。図８（ｂ）は、笠木74を下方から視た図である。第４の実施形態の笠木74は、第２の実施形態の笠木70に突出部22を設けていない天板14aを有する笠木である。
【００３０】
次に、本発明に係る笠木の第５の実施形態について説明する。図９及び図１０は、本発明に係る笠木の第５の実施形態を説明する図である。尚、本実施形態において、第１の実施形態に示す構成と同一の構成については、同一符号を付すことでその説明を省略する。
【００３１】
図９は、第５の実施形態の笠木76を第１の実施形態のブラケット28の役目をするブラケット28aを介してパラペット12に被装した状態を示す平面図である。ブラケット28aは、第１の実施形態におけるブラケット28の中央部に笠木76を支持する支持部が形成されているものである。
【００３２】
図１０は、第５の実施形態の笠木76を示す斜視図である。図１０（ａ）は、笠木76を上方から視た図である。図１０（ｂ）は、笠木76を下方から視た図である。第５の実施形態の笠木76は、第１の実施形態の笠木10の前後部に下方への傾斜を形成したものである。第５の実施形態の笠木76は、天板14b、正面壁16a及び背面壁18aを備えている。
【００３３】
次に、本発明に係る笠木の第６の実施形態について説明する。図１１及び図１２は、本発明に係る笠木の第６の実施形態を説明する図である。尚、本実施形態において、第１の実施形態に示す構成と同一の構成については、同一符号を付すことでその説明を省略する。
【００３４】
図１１は、第６の実施形態の笠木78を第１の実施形態のブラケット28を介してパラペット12に被装した状態を示す平面図である。
【００３５】
図１２は、第６の実施形態の笠木78を示す斜視図である。図１２（ａ）は、笠木78を上方から視た図である。図１２（ｂ）は、笠木78を下方から視た図である。第６の実施形態の笠木78は、第１の実施形態の笠木10の補強部材20を補強部材20bとしたものである。補強部材20bは、図面上の前後方向（左右方向）に長尺に形成されていると共に図面上の正面視（側面視）で波状に形成されている。
【００３６】
次に、本発明に係る笠木の第７の実施形態について説明する。図１３及び図１４は、本発明に係る笠木の第７の実施形態を説明する図である。尚、本実施形態において、第１の実施形態に示す構成と同一の構成については、同一符号を付すことでその説明を省略する。
【００３７】
図１３は、第７の実施形態の笠木80を第１の実施形態のブラケット28を介してパラペット12に被装した状態を示す平面図である。
【００３８】
図１４は、第７の実施形態の笠木80を示す斜視図である。図１４（ａ）は、笠木80を上方から視た図である。図１４（ｂ）は、笠木80を下方から視た図である。第７の実施形態の笠木80は、第１の実施形態の笠木10の補強部材20を補強部材20cとしたものである。補強部材20cは、図面上の前後方向（左右方向）に長尺に形成されていると共に図面上の正面視（側面視）で櫛歯状に形成されている。
【００３９】
次に、本発明に係る笠木の第８の実施形態について説明する。図１５及び図１６は、本発明に係る笠木の第８の実施形態を説明する図である。尚、本実施形態において、第１の実施形態に示す構成と同一の構成については、同一符号を付すことでその説明を省略する。
【００４０】
図１５は、第８の実施形態の笠木82を第１の実施形態のブラケット28を介してパラペット12に被装した状態を示す平面図である。
【００４１】
図１６は、第８の実施形態の笠木82を示す斜視図である。図１６（ａ）は、笠木82を上方から視た図である。図１６（ｂ）は、笠木82を下方から視た図である。第８の実施形態の笠木82は、第１の実施形態の笠木10の補強部材20を補強部材20dとしたものである。補強部材20dは、第１の実施形態の笠木10の裏面と補強部材20とが接合する面を凹凸状にすると共に補強部材20の中央部にリブを形成したものである。
【００４２】
尚、本発明は上記実施形態に限定されるものではなく、本発明の要旨の範囲内において種々の変形実施が可能である。
【図面の簡単な説明】
【００４３】
【図１】本発明に係る第１の実施形態の笠木がパラペットに被装されている場合を示す平面図である。
【図２】図１の笠木を示す斜視図である。
【図３】本発明に係る第２の実施形態の笠木がパラペットに被装されている場合を示す平面図である。
【図４】図３の笠木を示す斜視図である。
【図５】本発明に係る第３の実施形態の笠木がパラペットに被装されている場合を示す平面図である。
【図６】図５の笠木を示す斜視図である。
【図７】本発明に係る第４の実施形態の笠木がパラペットに被装されている場合を示す平面図である。
【図８】図７の笠木を示す斜視図である。
【図９】本発明に係る第５の実施形態の笠木がパラペットに被装されている場合を示す平面図である。
【図１０】図９の笠木を示す斜視図である。
【図１１】本発明に係る第６の実施形態の笠木がパラペットに被装されている場合を示す平面図である。
【図１２】図１１の笠木を示す斜視図である。
【図１３】本発明に係る第７の実施形態の笠木がパラペットに被装されている場合を示す平面図である。
【図１４】図１３の笠木を示す斜視図である。
【図１５】本発明に係る第８の実施形態の笠木がパラペットに被装されている場合を示す平面図である。
【図１６】図１５の笠木を示す斜視図である。
【符号の説明】
【００４４】
10  笠木
12  パラペット
14  天板
16  正面壁
18  背面壁
20  補強部材
【図１】
2005290822.tif 000003
【図２】
2005290822.tif 000004
【図３】
2005290822.tif 000005
【図４】
2005290822.tif 000006
【図５】
2005290822.tif 000007
【図６】
2005290822.tif 000008
【図７】
2005290822.tif 000009
【図８】
2005290822.tif 000010
【図９】
2005290822.tif 000011
【図１０】
2005290822.tif 000012
【図１１】
2005290822.tif 000013
【図１２】
2005290822.tif 000014
【図１３】
2005290822.tif 000015
【図１４】
2005290822.tif 000016
【図１５】
2005290822.tif 000017
【図１６】
2005290822.tif 000018